(57)【要約】【課題】患者が動いて電極が通電することにより呼び出しが行われた後、医療従事者が応答や復旧の操作を行った場合に再び呼び出しが発生しないようにする。【解決手段】一対の挟持片の先端に設けられた各電極１５，１６が互いに接触する方向に付勢された挟持部材１０と、各電極１５，１６の間に挟んで使用される板状部材２０とを備えた挟持形ナースコール子機において、板状部材２０が貫通穴２２を備え、患者の動きに応じて移動する電極１５，１６が貫通穴２２の位置で通電することにより呼び出しが行われた後、電極１５，１６が貫通穴２２から絶縁体部分へと移動して非接触状態となり、電極１５，１６の移動がストッパ２４により規制されることで、各電極１５，１６が接触状態のままとならないようにして、医療従事者が応答または復旧の操作を行った場合に、呼び出しの停止後にすぐにまた呼び出しが行われることがなくなるようにする。【選択図】図３
2019198485.tif 000002
【特許請求の範囲】
【請求項１】
一対の挟持片の互いに対向する面の対向する位置に各電極が設けられるとともに、上記各電極が互いに接触する方向に上記一対の挟持片を付勢する付勢部材が設けられた挟持部材と、
上記各電極の間に挟んで使用され、上記各電極との相対位置関係を変え得るようになされた板状部材とを備え、
上記板状部材は、
上記板状部材の平面の１つの方向に沿った直線状部位の両端以外の箇所に設けられた貫通穴と、
上記各電極が上記直線状部位の一端側にある状態から上記各電極と上記板状部材との相対位置関係が変わることにより上記各電極が上記直線状部位の他端側にある状態へと遷移するときに、上記各電極に挟まれた上記板状部材が上記挟持部材から完全に離脱しないように規制する規制部材とを備え、
上記各電極が上記板状部材の上記直線状部位の一端側にある状態から上記各電極と上記板状部材との相対位置関係が変わるときに、上記各電極が上記貫通穴を介して通電することによってナースコールの呼び出しを行うようになされた挟持形ナースコール子機。
【請求項２】
上記各電極の少なくとも一方は、上記一対の挟持片の対向面から突出する凸形状をしており、
上記板状部材の上記直線状部位には、上記各電極と上記板状部材との相対位置関係が変わるときに上記電極の移動をガイドするガイド溝が形成されていることを特徴とする請求項１に記載の挟持形ナースコール子機。
【請求項３】
上記板状部材には、当該板状部材を患者に取り付けるための連結部材が連結され、
上記連結部材には、上記各電極と上記板状部材との相対位置関係が変わるときに上記規制部材にかかる負荷よりも小さい負荷で離間し得る連結部が設けられていることを特徴とする請求項１または２に記載の挟持形ナースコール子機。
【請求項４】
上記挟持部材には、当該挟持部材を患者に取り付けるための連結部材が連結され、
上記連結部材には、上記各電極と上記板状部材との相対位置関係が変わるときに上記規制部材にかかる負荷よりも小さい負荷で離間し得る連結部が設けられていることを特徴とする請求項１または２に記載の挟持形ナースコール子機。
【発明の詳細な説明】
【技術分野】
【０００１】
本発明は、挟持形ナースコール子機に関し、特に、一対の挟持片の対向面に電極を設け、互いに接触する方向に付勢された電極間に絶縁体を挟んでおいて、挟持片または絶縁体を取り付けた患者の動きに応じて絶縁体が各電極の間から外れることにより、各電極が通電してナースコールの呼び出しを行うようになされたナースコール子機に用いて好適なものである。
【背景技術】
【０００２】
従来、一対の挟持片を開閉自在に相互に軸着するとともに、これら挟持片の先端を弾性部材により常時閉じさせるようにし、挟持片の挟合面の夫々に電極を設け、挟持片を患者の衣服などに取り付けるようにすることで、患者が動いて挟持片が衣服などから外れると、電極の接点が閉じてナースコールの呼び出しを行うようになされた技術が知られている（例えば、特許文献１参照）。
【０００３】
しかしながら、この特許文献１に記載の技術では、患者の衣服などが濡れていたり、衣服の生地が薄かったりすると、挟持片の間に衣服を挟んでいても各電極が通電してしまい、ナースコールの誤報が発生してしまうという問題があった。
【０００４】
これに対し、上述のような一対の挟持片の間に電気遮断物質をあらかじめ挟んでおき、この電気遮断物質を取り付けた患者が動いて電気遮断物質が引き抜かれると、電極の接点が閉じてナースコールの呼び出しを行うようになされた技術も知られている（例えば、特許文献２参照）。
【先行技術文献】
【特許文献】
【０００５】
【特許文献１】特開２００６−７２４６４号公報
【特許文献２】特開２００６−３０５２５９号公報
【発明の概要】
【発明が解決しようとする課題】
【０００６】
しかしながら、上記特許文献１，２に記載のどちらの技術の場合も、各電極が通電してナースコールの呼び出しが行われた後に、看護師等の医療従事者が応答の操作をしたり復旧の操作をしたりしても、電極が通電したままの状態になっているため、一度は呼び出しが停止してもすぐに再び呼び出しが行われてしまうという問題があった。このような呼び出しを停止するためには、医療従事者が患者のいる場所まで移動して電極を離した状態を保持する必要があるが、それまでは、応答や復旧の操作を行うたびにナースコールの呼び出しが繰り返し発生してしまうという問題があった。
【０００７】
本発明は、このような問題を解決するために成されたものであり、患者が動いて電極が通電することによってナースコールの呼び出しが行われた後、医療従事者が応答や復旧の操作を行った場合に再びナースコールの呼び出しが発生しないようにすることを目的とする。
【課題を解決するための手段】
【０００８】
上記した課題を解決するために、本発明では、一対の挟持片の互いに対向する面の対向する位置に各電極が設けられ、当該各電極が互いに接触する方向に付勢された挟持部材と、一対の挟持片の間に挟んで使用される絶縁体の板状部材とを備えた挟持形ナースコール子機において、当該板状部材が、平面の１つの方向に沿った直線状部位の両端以外の箇所に貫通穴を備え、各電極が板状部材の直線状部位の一端側にある状態から各電極と板状部材との相対位置関係が変わることにより各電極が貫通穴を介して通電してナースコールの呼び出しを行い、その状態から更に各電極と板状部材との相対位置関係が変わることにより各電極が板状部材の直線状部位の他端側にある状態へと遷移するとともに、各電極に挟まれた板状部材が挟持部材から完全に離脱しないように板状部材を規制部材によって規制するようにしている。
【発明の効果】
【０００９】
上記のように構成した本発明によれば、各電極が互いに接触する方向に付勢された一対の挟持片の間に絶縁体の板状部材を挟み、板状部材の直線状部位の一端側である絶縁体部分に各電極が接触するようにしておいて、患者の動きに応じて各電極と板状部材との相対位置関係が変わると、各電極が直線状部位の一端側の絶縁体部分から貫通穴の方へ移動し、各電極が貫通穴を介して通電することによってナースコールの呼び出しが行われる。そして、電極が貫通穴から直線状部位の他端側の絶縁体部分へと更に移動することにより、各電極は互いに非接触の状態となり、その状態が規制部材により維持される。このため、各電極が通電してナースコールの呼び出しが行われた後、各電極が通電したままの状態にはならないので、医療従事者が応答または復旧の操作を行うことによって呼び出し動作を停止させた後、すぐにまたナースコールの呼び出しが行われることがなくなる。これにより、患者が動いて電極が通電することによってナースコールの呼び出しが行われた後、医療従事者が応答や復旧の操作を行った場合に再びナースコールの呼び出しが発生しないようにすることができる。
【図面の簡単な説明】
【００１０】
【図１】本実施形態による挟持形ナースコール子機の構成例を示す図である。
【図２】本実施形態による板状部材の構成例を示す図である。
【図３】本実施形態による挟持形ナースコール子機の動作例を示す図である。
【発明を実施するための形態】
【００１１】
以下、本発明の一実施形態を図面に基づいて説明する。図１は、本実施形態による挟持形ナースコール子機１００の構成例を示す図である。本実施形態の挟持形ナースコール子機１００は、挟持部材１０と、絶縁体の板状部材２０とを備えて構成される。
【００１２】
挟持部材１０は一対の挟持片１１，１２を備え、当該一対の挟持片１１，１２の端部には、互いに対向する面の対向する位置に電極１５，１６が設けられている。各電極１５，１６は、一対の挟持片１１，１２の対向面から突出する凸形状をしている。すなわち、第１挟持片１１の端部に、第２挟持片１２に面した対向面から第２挟持片１２の方向に突出する凸形状の第１電極１５が設けられている。また、第２挟持片１２の端部に、第１挟持片１１に面した対向面から第１挟持片１１の方向に突出する凸形状の第２電極１６が設けられている。
【００１３】
各電極１５，１６にはケーブル１７が接続されており、ケーブル１７の先は呼出装置（図示せず）に接続される。ここで、２つの電極１５，１６が互いに接触して通電すると、呼出装置によりナースコールの呼び出しが行われるようになっている。
【００１４】
一対の挟持片１１，１２における各電極１５，１６と反対側の端部は、ユーザによって把持される把持部１８である。挟持部材１０を構成する一対の挟持片１１，１２は、中央付近に設けた回転軸１４により接続されており、ユーザが把持部１８に力を加えることにより、回転軸１４を中心として一対の挟持片１１，１２を回動可能に構成されている。
【００１５】
挟持片１１，１２の回転軸１４から見て把持部１８側（以下、回転軸１４から見て把持部１８側を後側といい、回転軸１４から見て電極１５，１６側を前側という）には、各電極１５，１６が互いに接触する方向に一対の挟持部材１１，１２を付勢するスプリング１３が設けられている。ここで、スプリング１３は一対の挟持片１１，１２を連結するように設けられている。なお、スプリング１３は付勢部材の一例である。
【００１６】
すなわち、スプリング１３は押しバネ（圧縮バネ）であり、一対の挟持片１１，１２の後側を押し広げる方向に付勢することにより、一対の挟持片１１，１２の回転軸１４よりも前側の部分を互いに接近する方向に付勢している。これにより、一対の挟持片１１，１２の前側の端部にある各電極１５，１６が互いに接触する方向に付勢される。図１は、把持部１８を互いに接近させる方向への外力が加えられておらず、スプリング１３の力によって各電極１５，１６が互いに接触する方向に付勢された状態を示している。
【００１７】
板状部材２０は、一対の挟持片１１，１２の各電極１５，１６の間に挟んで使用されるものであり、図３にて後述するように、一対の挟持片１１，１２の各電極１５，１６との相対位置関係を変え得るようになされている。
【００１８】
図２は、板状部材２０の構成例を示す図である。図２に示すように、板状部材２０は、平面の１つの方向に沿った直線状部位２１の両端以外の箇所（略中央）に貫通穴２２を備えている。直線状部位２１は、板状部材２０の長手方向に対して平行に形成されている。また、貫通穴２２は、直線状部位２１に沿って楕円状に形成されている。
【００１９】
直線状部位２１には、各電極１５，１６と板状部材２０との相対位置関係が変わるとき（本実施形態では、板状部材２０が図３のように移動するとき）に第１電極１５の移動をガイドするガイド溝２３が形成されている。すなわち、直線状部位２１に沿ってガイド溝２３が形成されており、このガイド溝２３の中に第１電極１５が嵌められるようになっている。
【００２０】
挟持部材１０の長手方向と平行な方向に板状部材２０が移動すると、第１電極１５はガイド溝２３に沿って直線状部位２１を平行移動する。また、第１電極１５がガイド溝２３に嵌められることにより、板状部材２０は挟持部材１０の長手方向と平行な方向に移動しやすくなっている。
【００２１】
なお、挟持部材１０は、例えば把持部１８から延設される紐３０１を用いて、所定の場所に固定される。例えば、患者が使用するベッドの柵に紐３０１を縛り付けることにより、挟持部材１０がベッドに固定される。なお、ここでは紐３０１を用いた固定手法を例示しているが、挟持部材１０を所定の場所に固定させる方法はこれに限定されない。
【００２２】
一方、板状部材２０は、当該板状部材２０の端部から紐２０１およびクリップ２０２を介して患者の衣服などに繋がれる。すなわち、板状部材２０の端部には紐通し穴２５が設けられおり、この紐通し穴２５に紐２０１が取り付けられ、その紐２０１の先端にクリップ２０２が設けられている。このクリップ２０２を患者の衣服などに装着することにより、板状部材２０が患者に繋がれた状態となる。この紐２０１およびクリップ２０２は、板状部材２０を患者に取り付けるための連結部材を構成する。
【００２３】
以上の構成により、クリップ２０２を装着した患者がベッド上で身体を動かすと、その動きに伴って紐２０１が引っ張られ、当該紐２０１に引かれる形で板状部材２０が移動する。このとき、挟持部材１０はベッドに固定されているので、紐３０１が延び切った状態で挟持部材１０は動かなくなり、尚も紐２０１に引かれる板状部材２０が、挟持部材１０に対する相対位置を変えるようにして移動していく。
【００２４】
板状部材２０は、一対の挟持片１１，１２の各電極１５，１６と板状部材２０との相対位置関係が変わるときに、各電極１５，１６に挟まれた板状部材２０が挟持部材１０から完全に離脱しないように規制するストッパ（特許請求の範囲の規制部材に相当）２４を備えている。図２の例において、ストッパ２４は、直線状部位２１の端部に設けられ、ガイド溝２３よりも上方に突出するように立設されている。
【００２５】
すなわち、図３のように板状部材２０が移動したときに、ガイド溝２３にガイドされた状態で移動する第１電極１５（正確にいうと、移動する板状部材２０との相対位置関係を変える第１電極１５）がストッパ２４に当たることにより（図３（ｃ）に示す状態）、板状部材２０の移動が規制され、板状部材２０が挟持部材１０から完全に離脱しないようになっている。なお、本実施形態では板状部材２０が絶縁体により形成されているが、板状部材２０の少なくとも直線状部位２１およびストッパ２４が絶縁体により形成されていればよい。また、クリップ２０２が患者の衣服などを挟む力は、板状部材２０が移動し、第１電極１５がストッパ２４に当たるまで外れない程度の力であることが好ましい。
【００２６】
なお、第１電極１５がストッパ２４に当たることによって板状部材２０の移動が規制された後も、患者の動きが続いていれば、板状部材２０は紐２０１に引かれ続ける。この場合、第１電極１５またはストッパ２４が破損しないようにするために、本実施形態では紐２０１の中間位置にジョイント（特許請求の範囲の連結部に相当）２０３を設けている。ジョイント２０３は、着脱可能な２つの連結片２０３-1，２０３-2を連結させたものであり、第１電極１５が当たってストッパ２４にかかる負荷よりも小さい負荷で各連結片２０３-1，２０３-2が離間し得るように構成されている。すなわち、挟持片１１，１２に設けた各電極１５，１６がストッパ２４を乗り越えることがないように、ジョイント２０３やクリップ２０２が作用している。なお、本実施形態では、ジョイント２０３を設ける構成としているので、クリップ２０２を衣服などに強固に取り付け、クリップ２０２が衣服などから容易に外れないようにしてもよい。
【００２７】
以上のような構成において、一対の挟持片１１，１２の各電極１５，１６と板状部材２０との相対位置関係が変わるときに、各電極１５，１６が貫通穴２２を介して接触し通電することにより、ナースコールの呼び出しが行われる。以下に、図３を用いて詳細に説明する。図３では、各電極１５，１６と板状部材２０との相対位置関係に応じて、第１ポジションから第３ポジションの３つの状態を示している。
【００２８】
図３（ａ）に示す第１ポジションは、板状部材２０が一対の挟持片１１，１２の間に最も深く差し込まれた状態で、各電極１５，１６が貫通穴２２よりも前側（紐通し穴２５が設けられている側）にある状態を示している。この状態において、各電極１５，１６の間には絶縁体が挟まれていて、各電極１５，１６は非接触状態であるため、通電しない。クリップ２０２を患者の衣服に装着して本実施形態の挟持形ナースコール子機１００を使用し始めるときは、板状部材２０をこの第１ポジションに配置する。
【００２９】
図３（ｂ）に示す第２ポジションは、患者が動いて紐２０１が引っ張られ、それによって板状部材２０が挟持部材１０の長手方向と平行な方向に所定距離だけ移動した状態を示している。この状態において、各電極１５，１６は貫通穴２２の位置にあって、スプリング１３の付勢力を受けて一対の挟持片１１，１２が回動するため、各電極１５，１６は接触状態となって通電する。よって、ナースコールの呼び出しが実行される。
【００３０】
図３（ｃ）に示す第３ポジションは、紐２０１が引っ張られて板状部材２０が更に移動し、各電極１５，１６が貫通穴２２よりも後側（ストッパ２４が設けられている側）にあって、第１電極１５がストッパ２４に当たって板状部材２０の移動が止まった状態を示している。この状態において、各電極１５，１６の間には再び絶縁体が挟まれていて、各電極１５，１６は非接触状態であるため、通電しない。以上のような動作により、貫通穴２２を通して各電極１５，１６が通電することによってナースコールの呼び出しが行われた後、医療従事者が応答または復旧の操作を行って呼び出し動作を停止させた場合に、その後で再度ナースコールの呼び出しが行われてしまうことがない。これは、応答または復旧の操作が行われた時点で、各電極１５，１６が非接触状態にあるからである。
【００３１】
ここで、板状部材２０の移動に伴って第１電極１５が直線状部位２１の貫通穴２２よりも後側の部分に乗り上げやすくするために、第１電極１５が移動方向に対して曲面を形成していることが好ましい。ただし、この曲面により第１電極１５がストッパ２４を乗り越えないようにしなければならないので、第１電極１５の高さ、第１電極１５の曲面の傾斜具合、直線状部位２１の厚さ、ストッパ２４の高さを決定する必要がある。
【００３２】
以上説明したように、クリップ２０２を患者の衣服に装着して本実施形態の挟持形ナースコール子機１００を使用し始めるときは、図３（ａ）のように、各電極１５，１６の間に板状部材２０を挟み、板状部材２０の直線状部位２１の一端側（貫通穴２２よりも前側）である絶縁体部分に各電極１５，１６が接触するようにしておく。
【００３３】
この状態において、患者が身体を動かすと、その動きに応じて各電極１５，１６と板状部材２０との相対位置関係が変わり、電極１５，１６が直線状部位２１の一端側の絶縁体部分から貫通穴２２の方へ移動する。そして、図３（ｂ）のように各電極１５，１６が貫通穴２２を介して通電することにより、ナースコールの呼び出しが行われる。
【００３４】
その後、板状部材２０が更に移動し、各電極１５，１６が貫通穴２２から直線状部位２１の他端側（貫通穴２２よりも後側）の絶縁体部分へと更に移動することにより、図３（ｃ）のように各電極１５，１６は互いに非接触の状態となる。また、第１電極１５がストッパ２４に当たって板状部材２０の移動が規制され、板状部材２０が挟持部材１０から外れることが阻止されるので、各電極１５，１６の非接触状態が維持される。
【００３５】
このため、ナースコールの呼び出しに応じて医療従事者が応答または復旧の操作を行うと、呼び出しが停止し、すぐにまた呼び出しが行われることがなくなる。これにより、患者が動いて電極１５，１６が通電することによってナースコールの呼び出しが行われた後、医療従事者が応答や復旧の操作を行った場合に３０９再びナースコールの呼び出しが発生しないようにすることができる。
【００３６】
ここで、図３（ａ）の状態で患者が身体を動かした場合、図３（ｂ）に示す第２ポジションから図３（ｃ）に示す第３ポジションへの移行は一連の動作となる。そのため、患者が身体を動かす速さと、ナースコールの呼び出しを行う際の各電極１５，１６が通電する時間と、貫通穴２２の長手方向の長さとは相対的な関係となる。すなわち、患者が身体を動かす速さと貫通穴２２の長さとにより各電極１５，１６が通電する時間が決まるが、この時間が極端に短いと、ナースコールの呼び出しが行われなくなってしまう（ノイズなどによる誤動作を防止するため）。従って、患者の状態（動きが激しいかどうかなど）やナースコールの呼び出しが行われるために必要な各電極１５，１６の通電時間に応じて貫通穴２２の長さを決定する必要がある。
【００３７】
なお、上記実施形態では、挟持部材１０をベッドに固定し、板状部材２０を患者に繋ぐ構成について説明したが、これとは逆に、板状部材２０をベッドに固定し、挟持部材１０を患者に繋ぐように構成してもよい。すなわち、挟持部材１０に対して紐２０１、ジョイント２０３およびクリップ２０２から成る連結部材を連結し、板状部材２０を紐３０１でベッドなどに固定するようにしてもよい。この場合は、板状部材２０が固定され、挟持部材１０が移動することによって、各電極１５，１６と板状部材２０との相対位置関係が変わることになる。
【００３８】
また、上記実施形態では、紐２０１の中間部にジョイント２０３を設ける構成について説明したが、必ずしもジョイント２０３は設けなくてもよい。例えば、各電極１５，１６と板状部材２０との相対位置関係が変わるときにストッパ２４にかかる負荷よりも小さい負荷でクリップ２０２が衣服などから外れるように、クリップ２０２の挟持力を調整するようにしてもよい。
【００３９】
また、上記実施形態では、一対の挟持片１１，１２を、回転軸１４を中心として可動可能に構成する例について説明したが、本発明はこの構成に限定されない。また、上記実施形態では、付勢部材の一例としてスプリング１３を用いる例について説明したが、本発明はこの構成に限定されない。すなわち、互いに対向する面の対向する位置に設けた各電極１５，１６が互いに接触する方向に付勢される構成であればよい。例えば、特許文献２と同様に、一対の挟持片の外側から板バネなどによって各挟持片を互いに近づける方向に付勢するような構成であってもよい。
【００４０】
また、上記実施形態では、第１電極１５がストッパ２４に当たることによって板状部材２０の移動が規制されるようにする構成について説明したが、本発明の規制部材はこのようなストッパ２４の構成に限定されない。例えば、挟持片１１，１２の少なくとも一方における前側先端部の側面に凸形状を設けるとともに、板状部材２０の後側先端部の側面に凸形状を設けることにより、移動する板状部材２０の側面に設けた凸形状が挟持片１１，１２の側面に設けた凸形状に当たって係止する構成としてもよい。
【００４１】
また、上記実施形態では、各電極１５，１６を凸形状に構成する例について説明したが、第１電極１５のみを凸形状とする構成であってもよい。なお、上記実施形態では、第１電極１５の凸形状に曲面を持たせることで、第１電極１５が貫通穴２２から直線状部位２１の他端側に乗り上げやすくしているが、これに限定されない。例えば、貫通穴２２を形成する直線状部位２１の他端側の厚みを薄くして傾斜を持たせるようにしてもよい。
【００４２】
また、上記実施形態に示した外形はあくまでも一例であり、同様の機能を発揮できるものであれば外形は任意である。
【００４３】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４４】
１０  挟持部材
１１  第１挟持片
１２  第２挟持片
１３  スプリング（付勢部材）
１５，１６  電極
２０  板状部材
２１  直線状部位
２２  貫通穴
２３  ガイド溝
２４  ストッパ
１００  挟持形ナースコール子機
【図１】
2019198485.tif 000003
【図２】
2019198485.tif 000004
【図３】
2019198485.tif 000005